(57)【要約】【課題】残留空気に拠って乾燥食品が変質を減らし、乾燥食品を包装袋の中に入れた保存期限を有効に延ばす包装袋の鮮度保持排気弁構造を提供する。【解決手段】包装袋の鮮度保持排気弁構造は、密封フィルムを剥がし、封止フィルムの表面を包装袋内部の紙面に貼り合わせ、紙面上で弁室に対応して孔を開け、封止フィルムに貫通した排気孔を形成し、弁室には排気孔を経て外界と通じ、包装袋に乾燥食品を入れて口を閉じ、包装袋内部は乾燥食品に対して存在する隙間に包装し、包装袋外部の押出に拠って、弁室内の弁片を通孔位置で外向きに離れて元に戻る閉鎖動作を行い、一方方向で隙間内の空気を鮮度保持剤及び通孔へ通し、包装袋の排気孔から押出し排出し、包装袋の中のまだ押出排出されていない残留した空気が充填室内の鮮度保持剤によって通気フィルムを通じて包装袋の袋体内部へ向かい、包装袋の中の残留した空気に対して除湿もしくは脱酸素作用を起こす。【選択図】図３
2019135174.tif 000002
【特許請求の範囲】
【請求項１】
排気弁であり、弁体、弁片及び鮮度保持剤を含み、
該弁体は仕切板で内部空間を弁室及び充填室に仕切り、該仕切板上には一個以上の通孔を穿設し、該弁室と該充填室の間を該通孔を経て連通させ、
該弁片は該弁室内に組立設置し、且つ該弁室の開口端外周縁は、径方向外向きに貼合わせフレームを有し、該貼合わせフレームの表面には封止フィルムを設置し、該弁片を該弁室内で制限し、
該鮮度保持剤は、該充填室内に装填し、該充填室の入口端には通気フィルムを設置し、該鮮度保持剤を該充填室内に設置してもよく、且つ該通気フィルムの外表面端には密封フィルムを設置する包装袋の鮮度保持排気弁構造において、そのうち、
通常、該排気弁の充填室内に装填した該鮮度保持剤は、該封止フィルム及び該密封フィルムの密封によって、外界空気もしくは湿気が充填室に進入するのを止め、該鮮度保持剤の有効成分を長時間保ち、乾燥食品を該排気弁を備えた包装袋で包装する時、該包装袋の包装過程において、該密封フィルムを剥がし、更に該封止フィルムの表面を該包装袋内部の紙面に貼り合わせ、該紙面上で該弁室に対応して孔を開け、該封止フィルムに貫通させた排気孔を形成し、該弁室には該排気孔を経て外界と相通じることを特徴とする包装袋の鮮度保持排気弁構造。
【請求項２】
前記弁体内の仕切板一端表面には濾過フィルムを貼着し、且つ該濾過フィルムは該通孔の一端孔口位置に被覆し、該濾過フィルムが該充填室内の鮮度保持剤によって外漏れを止めることを特徴とする請求項１記載の包装袋の鮮度保持排気弁構造。
【請求項３】
前記弁体の充填室入口端には階段口部を成形し、該階段口部は内から外向きに該通気フィルム及び該密封フィルムを順に貼着し、該通気フィルムと該密封フィルム間に隙間を形成し、刺針が該密封フィルムに刺した時、針頭が該隙間に入るだけで傷つけず、通気フィルムを破損させないことを特徴とする請求項１記載の包装袋の鮮度保持排気弁構造。
【請求項４】
前記充填室の入口端は該通気フィルムの外表面端に剥離可能型の該密封フィルムを粘着し、該密封フィルムを通気フィルムの外表面端から単独で剥がして取り除くことができることを特徴とする請求項１記載の包装袋の鮮度保持排気弁構造。
【発明の詳細な説明】
【技術分野】
【０００１】
本発明は、乾燥食品を包装袋で包装するものに関し、保存期限を延ばす包装袋の鮮度保持排気弁構造に係る。
【背景技術】
【０００２】
人々の物品鮮度保持の要求は、益々高まり、一般には冷凍、冷蔵方式で細菌が増殖するのを抑制する他、空気、湿気から遠ざけ、食品が変質するのを防止する。しかしながら、伝統的な包装袋は乾燥食品の包装に用いられるが、包装袋は開封すると再度、閉める構造ではない。多くは袋口にチャックが設置され、一時的に口を閉めて食品が落ちたり、害虫が進入するのを防止することができるが、袋の中は大量の空気が存在するため、袋の中の食品（例としてコーヒー、茶葉等）は湿気を吸収して変質してしまう。
【０００３】
公知には包装袋上に若干の排気孔を設置し、通気遮断弁を包装袋内側の排気孔の対応箇所に貼着固定する。通気遮断弁の充填室内に納置された若干の停止塊によって位置限定のフィルムが納置室底面の若干の気孔に対して貼着して（通気遮断）停止し、包装袋が押出され、空気が気孔からフィルムへ押し、更に排気孔を経て排気し、袋内外によって圧力差を形成し、フィルムを気孔に吸着して被せることで外界の空気及び湿気が包装袋に進入するのを防止する。（例として特許文献１「包装袋の通気遮断弁」参照）。上述公知の通気遮断弁は、包装袋押出方式によって袋内の空気を排出外界へ排出でき、同時に外界の空気が袋内へ進入するのを止め、減少空気もしくは湿気が食品に対して酸化変質するのを減らす。
【先行技術文献】
【特許文献】
【０００４】
【特許文献１】台湾  実用新案登録公告第Ｍ５６４８７５号
【発明の概要】
【発明が解決しようとする課題】
【０００５】
解決しようとする問題点として、包装袋の袋体押出方式だけだと、袋内の包装隙間箇所の大部分の空気が外界へ排出されても、袋内では多少に関わらず、必ずいくらかの空気が残留し、これら僅かな空気は、食品を変質させたり、鮮度に影響を与え、食品の安全な保存期限を把握しにくくなる。
【課題を解決するための手段】
【０００６】
包装袋の鮮度保持排気弁構造は、包装袋の製作過程において、該密封フィルムを剥がすだけでよく、更に該封止フィルムの表面を該包装袋内部の紙面に貼り合わせ、該紙面上で該弁室に対応して孔を開け、該封止フィルムに貫通した排気孔を形成し、該弁室には該排気孔を経て外界と相通じる。該包装袋に乾燥食品を入れて口を閉じる時、該包装袋内部は乾燥食品に対して存在する隙間に包装し、該包装袋外部の押出に拠って、該弁体の弁室内の弁片を用い、該通孔位置で外向きに離れて元に戻る閉鎖動作を行い、それが一方(単)方向で隙間内の空気を鮮度保持剤及び通孔へ通し、包装袋の排気孔から押し出されて外界に排出できる他に、包装袋の中のまだ押出排出されていない残留した空気が充填室内の鮮度保持剤によって通気フィルムを通じて包装袋の袋体内部へ向かい、包装袋の中の残留した空気に対して除湿もしくは脱酸素作用を起こすことを最も主要な特徴とする。
【発明の効果】
【０００７】
本発明の包装袋の鮮度保持排気弁構造は、残留空気に拠って乾燥食品が変質の影響を受けるのを減らしたり、防止したりすることで、乾燥食品を包装袋の中に入れた保存期限を有効に延ばすという利点がある。
【図面の簡単な説明】
【０００８】
【図１】本発明の構造分解立体図である。
【図２】本発明の構造組立外観立体図である。
【図３】本発明の構造断面図である。
【図４】本発明の充填室が開いた実施例図である。
【図５】本発明の包装袋の排気時の状態指示図である。
【図６】本発明の包装袋の鮮度保持剤が作用している状態の指示図である。
【図７】本発明の充填室を開いた別の実施例図である。
【発明を実施するための形態】
【０００９】
本発明は排気弁であり、それは弁体、弁片及び鮮度保持剤を含む。
該弁体は仕切板で内部空間を弁室及び充填室に仕切る。該仕切板上には一個以上の通孔を穿設し、該弁室と該充填室の間を該通孔を経て連通させる。該弁片は該弁室内に組立設置し、且つ該弁室の開口端外周縁は、径方向外向きに貼合わせフレームを有し、該貼合わせフレームの表面には封止フィルムを設置し、該弁片を該弁室内で制限する。該鮮度保持剤は、該充填室内に装填し、該充填室の入口端には通気フィルムを設置し、該鮮度保持剤を該充填室内に設置してもよく、且つ該通気フィルムの外表面端には密封フィルムを設置する。
【００１０】
通常、該排気弁の充填室内に装填した該鮮度保持剤は、該封止フィルム及び該密封フィルムの密封によって、外界空気もしくは湿気が充填室に進入するのを止め、該鮮度保持剤の有効成分を長時間保存させる。乾燥食品を該排気弁を備えた包装袋で包装する時、該包装袋の包装過程において、該密封フィルムを剥がし、更に該封止フィルムの表面を該包装袋内部の紙面に貼り合わせ、該紙面上で該弁室に対応して孔を開け、該封止フィルムに貫通させた排気孔を形成し、該弁室には該排気孔を経て外界と相通じる。
【００１１】
このように、該包装袋に乾燥食品を入れて口を閉じる時、該包装袋内部では乾燥食品に対して存在する隙間に包装し、該包装袋外部の押出に拠って、該弁体の弁室内の弁片を用い、該通孔位置で外向きに離れて元に戻る閉鎖動作を行い、それが一方(単)方向で隙間内の空気を鮮度保持剤及び通孔へ通し、包装袋の排気孔から押し出されて外界に排出できる他に、包装袋の中のまだ押出排出されていない残留した空気が充填室内の鮮度保持剤によって通気フィルムを通じて包装袋の袋体内部へ向かい、包装袋の中の残留した空気に対して除湿もしくは脱酸素作用を起こし、残留空気に拠って乾燥食品が変質の影響を受けるのを減らしたり、防止したりすることで、乾燥食品を包装袋の中に入れた保存期限を有効に延ばすことができる包装袋の鮮度保持排気弁構造を提供することを本発明の主な目的とする。
【００１２】
そのうち、該弁体内の仕切板一端表面には濾過フィルムを貼着し、且つ該濾過フィルムは該通孔の一端孔口位置に被覆し、該濾過フィルムが該充填室内の鮮度保持剤によって外漏れを止める。拠って弁室内に鮮度保持剤粉粒が進入するのを防止し、弁片が一方方向で關閉通孔を閉じる動の正常を確保し、長時間の良好な排気逆流防止効果を発揮する包装袋の鮮度保持排気弁構造を提供することを本発明の次の目的とする。
【００１３】
そのうち、該弁体の充填室入口端には階段口部を成形し、該階段口部は内から外向きに該通気フィルム及び該密封フィルムを順に貼着し、該通気フィルムと該密封フィルム間に隙間を形成する。刺針が該密封フィルムに刺した時、針頭が該隙間に入るだけで傷つけず、通気フィルムを破損させず、充填室内の鮮度保持剤が密封フィルム上の刺孔で通気孔を形成し、包装袋内部と相互に通じる動作を簡単に完了する包装袋の鮮度保持排気弁構造を提供することを本発明の更に別の目的とする。
【００１４】
そのうち、該充填室の入口端は該通気フィルムの外表面端に剥離可能型の該密封フィルムを粘着する。該密封フィルムを通気フィルムの外表面端から単独で剥がすことができるので、充填室内の鮮度保持剤が入口端から密封フィルムを取り除くだけで、包装袋内部と相互に通じて動作が簡単に完了する包装袋の鮮度保持排気弁構造を提供することを本発明の更に別の目的とする。
【実施例】
【００１５】
本発明は、上述の目的を達成するため、良好な実施例を挙げ、図と共に以下に詳細に説明する。
包装袋の鮮度保持排気弁構造は、図１、２、３に示すとおり排気弁１０であり、弁体２０、弁片３０及び鮮度保持剤４０を含む。該弁体２０は仕切板２１で内部空間を弁室２２及び充填室２３に仕切る。該仕切板２１上には一個以上の通孔２４を穿設し、該弁室２２と該充填室２３の間を該通孔２４を経て連通させる。該弁片３０は該弁室２２内に組立設置し、且つ該弁室２２の開口端外周縁は、径方向外向きに貼合わせフレーム２５を有し、該貼合わせフレーム２５の表面には封止フィルム２６を設置し、該弁片３０を該弁室２２内で制限する。
【００１６】
該鮮度保持剤４０（乾燥剤もしくは脱酸素剤でも良い）は、該充填室２３内に設置し、該充填室２３の入口端には通気フィルム２７を設置し、該鮮度保持剤４０を該充填室２３内に設置してもよく、且つ該通気フィルム２７の外表面端には密封フィルム２８を設置する。図３に示すとおり、通常（鮮度保持袋を使用する前）、該排気弁１０の弁体２０の充填室２３内に装填する該鮮度保持剤４０は、該封止フィルム２６及び該密封フィルム２８の弁体２０内部で密封され、外界の空気もしくは湿気が充填室２３に進入するのを止め、該鮮度保持剤４０の有効成分を長時間保つ。
乾燥食品（図未提示）を該排気弁１０を備えた包装袋で包装したい時、該包装袋の過程において、図４、５に示すとおり、該密封フィルム２８（例として孔を開けて充填室２３を開く）を剥がすだけでよく、更に該封止フィルム２６の表面を該包装袋５０内部の紙面に貼り合わせ、該紙面上で該弁室２２に対応して孔を開け、該封止フィルム２６の貫通した排気孔５１を形成し、該弁室２２は該排気孔５１を経て外界と相通じる。
【００１７】
このようにして該包装袋５０の口を閉じて（袋口封閉）乾燥食品を包装する時、該包装袋５０内部は乾燥食品に対して存在する隙間に包装し、該包装袋５０外部の押出に拠って、該弁体２０の弁室２２の内部の弁片３０を用い該通孔２４位置で外向きに離れて閉鎖動作で元に戻り、一方(単)方向で（包装の）隙間の空気が鮮度保持剤４０（注：鮮度保持剤４０は一般的に粉粒状態であるため、空気が通過できる）及び通孔２４を通過して包装袋５０の排気孔５１から押し出されて外界に排出できる他に、包装袋５０の中のまだ（外界へ）押し出されて排出してない残った空気は、弁片３０に於いて通孔２４が閉鎖された状態において、図６に示すとおり、充填室２３内鮮度保持剤４０が通気フィルム２７を通過して包装袋５０の袋体内部へ向かい、包装袋５０内に残留した空気に対して除湿もしくは脱酸素作用を起こし、残留空気に拠って乾燥食品が変質の影響を受けるのを減らしたり、防止したりすることで、乾燥食品は包装袋５０中で保存期限を延ばすことができる。
【００１８】
上述の実施例に基づき、そのうち、図１、３に示すとおり、該弁体２０内の仕切板２１一端表面には濾過フィルム２９を貼着し、且つ該濾過フィルム２９は該通孔２４の一端孔口位置を被覆し、該濾過フィルム２９によって該充填室２３内に対する鮮度保持剤４０は外漏れを止める。図５に示すとおり、弁室２２内から排気過程において、鮮度保持剤４０粉粒（剤）が外漏れしてするのを防止し、図６に示すとおり排気状態ではない時、弁片３０が一方方向で通孔２４を閉じる動作を正常（妨害されない）に確実にして、長時間の良好な排気逆流防止効果を発揮する。
【００１９】
上述の実施例に基づき、そのうち、図１、２、３に示すとおり、該弁体２０の充填室２３入口端は階段口部２３０を成形する。該階段口部２３０上には内から外に向けて、該通気フィルム２７及び該密封フィルム２８の順に貼着し、該通気フィルム２７と該密封フィルム２８の間は隙間２３１を形成する。刺針（図未提示）で該密封フィルム２８を穿刺した時、針頭は該隙間２３１に進入しても傷つけず、通気フィルム２７は破損しない。図４、５に示すとおり、充填室２３内の鮮度保持剤４０によって、密封フィルム２８上の刺孔が通気孔２８０を形成し、鮮度保持剤４０と包装袋５０内部（乾燥食品）が相互に通じて充填室２３が開く動作が簡易に完成する。
【００２０】
上述の実施例に基づき、そのうち、図１、２、３に示すとおり、該充填室２３の入口端は該通気フィルム２７の外表面端上に剥離可能型の該密封フィルム２８を粘着し、該密封フィルム２８によって通気フィルム２７の外表面端上からそれだけを剥がして取り除ける。図３、７に示すとおり、充填室２３内の鮮度保持剤４０によって入口端上から密封フィルム２８を剥がすだけで、即ち鮮度保持剤４０と包装袋５０内部（乾燥食品）が相互に通じて充填室２３が開く動作が簡単に完成する。
【００２１】
以上説明したのは、本発明に対して説明するためのものであり、本発明を制限するものではない。当領域に習熟した一般の技術員が理解するためであるが、本発明に基づく精神的利用範囲から外れない状況における多くの修飾及び変化はすべて本発明の請求範囲に含まれるものとする。
【符号の説明】
【００２２】
１０        排気弁
２０        弁体
２１        仕切板
２２        弁室
２３        充填室
２３０      階段口部
２３１      隙間
２４        通孔
２５        貼合わせフレーム
２６        封止フィルム
２７        通気フィルム
２８        密封フィルム
２８０      通気孔
２９        濾過フィルム
３０        弁片
４０        鮮度保持剤
５０        包装袋
５１        排気孔
【図１】
2019135174.tif 000003
【図２】
2019135174.tif 000004
【図３】
2019135174.tif 000005
【図４】
2019135174.tif 000006
【図５】
2019135174.tif 000007
【図６】
2019135174.tif 000008
【図７】
2019135174.tif 000009